【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
第１のユーザ情報と、その第１のユーザ情報により特定されるユーザよりも後で複写の指示を行ったユーザを特定する第２のユーザ情報とを１つのコード画像として含む原稿の複写の指示がユーザにより行われると、その原稿を読み込む手段と、
その読み込みにより得られた原稿画像からその１つのコード画像を検知し、復号化する手段と、
その復号化により得られた第１のユーザ情報と、その原稿の複写の指示を行ったユーザを特定するユーザ情報とを符号化して、その復号化により得られた第２のユーザ情報を含まず、その復号化により得られた第１のユーザ情報と、その原稿の複写の指示を行ったユーザを特定するユーザ情報とを含む１つのコード画像を生成する手段と、
その生成された１つのコード画像を印刷する手段とを有することを特徴とする装置。
【請求項２】
原稿の複写の指示がユーザにより行われると、その原稿を読み込む手段と、
その読み込みにより得られた原稿画像から１つのコード画像を検知し、復号化する手段と、
その復号化により、第１のユーザ情報と、その第１のユーザ情報により特定されるユーザよりも後で複写の指示を行ったユーザを特定する第２のユーザ情報とが得られた場合、
その第１のユーザ情報と、その原稿の複写の指示を行ったユーザを特定するユーザ情報とを符号化して、その第２のユーザ情報を含まず、その第１のユーザ情報と、その原稿の複写の指示を行ったユーザを特定するユーザ情報とを含む１つのコード画像を生成する手段と、
その生成された１つのコード画像を印刷する手段とを有することを特徴とする装置。
【請求項３】
その生成された１つのコード画像とその読み込みにより得られた原稿画像とを合成する手段をさらに有し、
その生成された１つのコード画像を印刷する手段は、
その合成により得られた画像を印刷することを特徴とする請求項１又は２に記載の装置。
【請求項４】
原稿の複写の指示がユーザにより行われると、その原稿を読み込む手段と、
その原稿の複写の指示を行ったユーザを特定するユーザ情報を含む１つのコード画像を生成する手段と、
その読み込みにより得られた原稿画像と、その生成された１つのコード画像とを合成する手段と、
その合成により得られた画像を印刷する手段とを有することを特徴とする装置であって、
その読み込みにより得られた原稿画像から１つのコード画像を検知し、復号化する手段をさらに有し、
その復号化により、以前複写の指示を行ったユーザを特定するユーザ情報と、さらにそれより以前複写の指示を行ったユーザを特定するユーザ情報の両方が得られた場合、
その生成する手段は、
その原稿の複写の指示を行ったユーザを特定するユーザ情報と、そのさらにそれより以前複写の指示を行ったユーザを特定するユーザ情報とを符号化して、その以前複写の指示を行ったユーザを特定するユーザ情報を含まず、その原稿の複写の指示を行ったユーザを特定するユーザ情報と、そのさらにそれより以前複写の指示を行ったユーザを特定するユーザ情報とを含む１つのコード画像を生成することを特徴とする装置。
【請求項５】
その合成する手段は、
その読み込みにより得られた原稿画像における、その１つのコード画像が検知された領域に、その生成された１つのコード画像を合成することを特徴とする請求項３又は４に記載の装置。
【請求項６】
その合成する手段によるその合成により、
その読み込みにより得られた原稿画像における、その第１のユーザ情報と、その第１のユーザ情報により特定されるユーザよりも後で複写の指示を行ったユーザを特定する第２のユーザ情報とを含むその検知された１つのコード画像は削除されることを特徴とする請求項５に記載の装置。
【請求項７】
その生成されたコード画像と、その原稿画像から検知されるコード画像は、互いに同じサイズである規定サイズ以下の情報を含むことができる２次元コードであることを特徴とする請求項１乃至６の何れか１項に記載の装置。
【請求項８】
複写の指示を行ったユーザとは、複写の指示が行われた際のログインユーザであることを特徴とする請求項１乃至７の何れか１項に記載の装置。
【請求項９】
その装置は複写装置であることを特徴とする請求項１乃至８の何れか１項の記載の装置。
【請求項１０】
第１のユーザ情報と、その第１のユーザ情報により特定されるユーザよりも後で複写の指示を行ったユーザを特定する第２のユーザ情報とを１つのコード画像として含む原稿の複写の指示がユーザにより行われると、その原稿を読み込む工程と、
その読み込みにより得られた原稿画像からその１つのコード画像を検知し、復号化する工程と、
その復号化により得られた第１のユーザ情報と、その原稿の複写の指示を行ったユーザを特定するユーザ情報とを符号化して、その復号化により得られた第２のユーザ情報を含まず、その復号化により得られた第１のユーザ情報と、その原稿の複写の指示を行ったユーザを特定するユーザ情報とを含む１つのコード画像を生成する工程と、
その生成された１つのコード画像を印刷する工程とを有することを特徴とする装置の制御方法。
【請求項１１】
原稿の複写の指示がユーザにより行われると、その原稿を読み込む工程と、
その読み込みにより得られた原稿画像から１つのコード画像を検知し、復号化する工程と、
その復号化により、第１のユーザ情報と、その第１のユーザ情報により特定されるユーザよりも後で複写の指示を行ったユーザを特定する第２のユーザ情報とが得られた場合、
その第１のユーザ情報と、その原稿の複写の指示を行ったユーザを特定するユーザ情報とを符号化して、その第２のユーザ情報を含まず、その第１のユーザ情報と、その原稿の複写の指示を行ったユーザを特定するユーザ情報とを含む１つのコード画像を生成する工程と、
その生成された１つのコード画像を印刷する工程とを有することを特徴とする装置の制御方法。
【請求項１２】
原稿の複写の指示がユーザにより行われると、その原稿を読み込む工程と、
その原稿の複写の指示を行ったユーザを特定するユーザ情報を含む１つのコード画像を生成する工程と、
その読み込みにより得られた原稿画像と、その生成された１つのコード画像とを合成する工程と、
その合成により得られた画像を印刷する印刷工程とを有することを特徴とする装置の制御方法であって、
その読み込みにより得られた原稿画像から１つのコード画像を検知し、復号化する工程をさらに有し、
その復号化により、以前複写の指示を行ったユーザを特定するユーザ情報と、さらにそれより以前複写の指示を行ったユーザを特定するユーザ情報の両方が得られた場合、
その生成する工程は、
その原稿の複写の指示を行ったユーザを特定するユーザ情報と、そのさらにそれより以前複写の指示を行ったユーザを特定するユーザ情報とを符号化して、その以前複写の指示を行ったユーザを特定するユーザ情報を含まず、その原稿の複写の指示を行ったユーザを特定するユーザ情報と、そのさらにそれより以前複写の指示を行ったユーザを特定するユーザ情報とを含む１つのコード画像を生成することを特徴とする装置の制御方法。
【請求項１３】
請求項１０乃至１２の何れか１項の記載の装置の制御方法をコンピュータに実行させるためのプログラム。
【請求項１４】
請求項１３に記載のプログラムを記憶したコンピュータ読取り可能な記憶媒体。